(57)【要約】【課題】段ボール箱へ粘着テープを狙い通りに貼ることができるクリップ及び方法を提供する。【解決手段】クリップ１を構成する２枚の挟持板７の一方の先端縁２３に、歯列２５を設けた。また、他方の挟持板７の外面中央に印２７を設けた。さらに、２枚の挟持板７は、後端縁２９が、先端縁２３と平行に扁平な形状になっている。そして、粘着テープ３を貼り始める位置にクリップ１の印２７を合わせ、歯列２５を刺して段ボール箱５にクリップ１を仮止し、このクリップ１を開閉して、巻き出した粘着テープの端部４３を挟持し、粘着テープ３を貼る。そして、貼り終わった粘着テープ３の終端部を、外したクリップ１の歯列２５でカットする。【選択図】図１
2014118477.tif 000002
【特許請求の範囲】
【請求項１】
粘着テープを挟持して段ボール箱に貼るためのクリップであって、２枚の挟持板と、これら挟持板を連結し互いに回動して開閉するための回動軸と、前記２枚の挟持板が先端縁を合わせて閉じる方向へ付勢するバネと、一方の前記挟持板の前記先端縁に設けた歯列と、他方の前記挟持板の外面中央に設けられた印と、を有することを特徴とするクリップ。
【請求項２】
前記一方の前記挟持板の中央には、針状の突起が設けられたことを特徴とする請求項１に記載のクリップ。
【請求項３】
前記２枚の挟持板は、後端縁が、前記先端縁と平行に扁平な形状になっていることを特徴とする請求項１、または２に記載のクリップ。
【請求項４】
前記２枚の挟持板のうち一方または両方の外面には、粘着テープの粘着力を弱めるための凹凸が形成されていることを特徴とする請求項１、２、または３に記載のクリップ。
【請求項５】
請求項１、２、３、または４のクリップを用いて、粘着テープを段ボール箱に貼るための方法であって、粘着テープを貼り始める位置に前記印を合わせ前記歯列を刺して段ボール箱に前記クリップを仮止する手順と、仮止した前記クリップを開閉して、巻き出した前記粘着テープの端部を挟持する手順と、巻き出した前記粘着テープを貼り、更に巻き出して前記粘着テープを貼り終わる手順と、前記クリップを前記段ボール箱から外し、貼り終わった粘着テープの終端部を前記クリップの前記歯列でカットする手順と、を有してなる粘着テープを貼る方法。
【請求項６】
請求項４のクリップを用いて、粘着テープを段ボール箱の２枚の蓋の合わせ目に貼るための方法であって、前記クリップの前記凹凸が形成された外面を上側にし、前記２枚の蓋の合わせ目の端部に前記クリップの前記印を合わせ、これら２枚の蓋を挟持することで段ボール箱に前記クリップを仮止する手順と、仮止した前記クリップの前記凹凸が形成された上側の外面に、巻き出した前記粘着テープの端部を貼る手順と、巻き出した前記粘着テープを２枚の蓋の合わせ目に貼る手順と、前記クリップから前記粘着テープの端部を剥がし、前記クリップを前記段ボール箱から外し、この粘着テープの端部を前記段ボール箱に貼る手順と、前記外したクリップの前記歯列で、貼り終わった粘着テープの終端部をカットする手順と、を有してなる粘着テープを貼る方法。
【発明の詳細な説明】
【技術分野】
【０００１】
この発明は、粘着テープを挟持して、段ボール箱に貼るためのクリップの構造に関する。
【背景技術】
【０００２】
段ボール箱に荷物を入れて閉じるときなどに、段ボール箱の蓋の合わせ目などへ、粘着テープを貼る。その際には、粘着テープを巻いたものから粘着テープの端部をきれいにはがし、巻き出し、巻き出した粘着テープを、蓋の合わせ目の真上に来るように、貼る。貼った後は、巻き出して貼った粘着テープを別のカッターなどでカットする。
【０００３】
下記特許文献１には、テープをカットすることができる歯列を有するクリップが開示されている。この特許文献１のクリップによれば、粘着テープをカットするのに、別のカッターを用いる必要はない。
【先行技術文献】
【特許文献】
【０００４】
【特許文献１】実開平０６−０３９４７２
【発明の概要】
【発明が解決しようとする課題】
【０００５】
しかしながら、段ボール箱へ粘着テープを貼る際に、粘着テープを、狙い通りに貼ることは、なかなか難しい。貼り終わりの位置では、粘着テープがそれて狙いから外れてしまうこともある。
この発明は、以上の問題点を解決するために、段ボール箱へ粘着テープを、狙い通りに貼ることができるクリップ、及びこのクリップを用いて粘着テープを貼る方法を提供することを目的とする。
【課題を解決するための手段】
【０００６】
以上の課題を解決するために、第一発明は、粘着テープを挟持して段ボール箱に貼るためのクリップであって、２枚の挟持板と、これら挟持板を連結し互いに回動して開閉するための回動軸と、前記２枚の挟持板が先端縁を合わせて閉じる方向へ付勢するバネと、一方の前記挟持板の前記先端縁に設けた歯列と、他方の前記挟持板の外面中央に設けられた印と、を有することを特徴とするクリップである。
【０００７】
第二発明は、さらに、前記一方の前記挟持板の中央には、針状の突起が設けられたことを特徴とするクリップである。
第三発明は、さらに、前記２枚の挟持板は、後端縁が、前記先端縁と平行に扁平な形状になっていることを特徴とするクリップである。
第四発明は、さらに、前記２枚の挟持板のうち一方または両方の外面には、粘着テープの粘着力を弱めるための凹凸が形成されていることを特徴とするクリップである。
第五発明は、第一、第二、第三、または第四発明のリップを用いて、粘着テープを段ボール箱に貼るための方法であって、粘着テープを貼り始める位置に前記印を合わせ前記歯列を刺して段ボール箱に前記クリップを仮止する手順と、仮止した前記クリップを開閉して、巻き出した前記粘着テープの端部を挟持する手順と、巻き出した前記粘着テープを貼り、更に巻き出して前記粘着テープを貼り終わる手順と、前記クリップを前記段ボール箱から外し、貼り終わった粘着テープの終端部を前記クリップの前記歯列でカットする手順と、を有してなる粘着テープを貼る方法である。
第六発明は、第四発明のクリップを用いて、粘着テープを段ボール箱の２枚の蓋の合わせ目に貼るための方法であって、前記クリップの前記凹凸が形成された外面を上側にし、前記２枚の蓋の合わせ目の端部に前記クリップの前記印を合わせ、これら２枚の蓋を挟持することで段ボール箱に前記クリップを仮止する手順と、仮止した前記クリップの前記凹凸が形成された上側の外面に、巻き出した前記粘着テープの端部を貼る手順と、巻き出した前記粘着テープを２枚の蓋の合わせ目に貼る手順と、前記クリップから前記粘着テープの端部を剥がし、前記クリップを前記段ボール箱から外し、この粘着テープの端部を前記段ボール箱に貼る手順と、前記外したクリップの前記歯列で、貼り終わった粘着テープの終端部をカットする手順と、を有してなる粘着テープを貼る方法。
【発明の効果】
【０００８】
第一、第二、第三、または第五発明によれば、粘着テープを貼り始める位置にクリップの印を合わせ、歯列を刺して段ボール箱にクリップを仮止し、このクリップを開閉して、巻き出した粘着テープの端部を挟持し、粘着テープを貼る。そして、貼り終わった粘着テープの終端部を、外したクリップの歯列でカットする。
【０００９】
これにより、貼り始める位置にクリップを正確に合わせることができ、したがって、粘着テープの端部を正確に合わせることができる。また、粘着テープの端部はクリップが挟持しているので、粘着テープを貼る際には、作業者は両手を貼る作業に使える。これらのことから、段ボール箱へ粘着テープを、狙い通りに貼ることができる。
第二、第三、または第四発明によれば、歯列のみならず突起を段ボール箱に刺すことで、強い仮止力が得られる。
【００１０】
第三、または第四発明によれば、更に、巻いた状態の粘着テープの端部をクリップに挟持させれば、クリップの扁平な形状の後端縁が支えとなり、巻いた状態の粘着テープを立てた状態で、安定させることができる。
第四、または第六発明によれば、クリップの仮止に、他の仮止方法も併用できる。すなわち、クリップを刺して仮止するだけではなく、クリップで蓋を挟持して仮止することもできる。
つまり、粘着テープを段ボール箱の２枚の蓋の合わせ目に貼る場合に、この合わせ目の端部に、クリップの印を合わせ、その状態でクリップによりこれら２枚の蓋を挟持することで、クリップを仮止する。さらに、巻き出した粘着テープの端部を、クリップ１の凹凸が形成された挟持板に、仮に貼る。そして、粘着テープを蓋の合わせ目に貼る。その後に、クリップを、粘着テープの巻き出した端部から剥がし、蓋から外す。そして、貼り終わった粘着テープの終端部を、外したクリップの歯列でカットする。
これにより、貼り始める位置にクリップを正確に合わせることができ、したがって、粘着テープの端部を正確に合わせることができる。また、粘着テープの端部はクリップに貼っているので、粘着テープを貼る際には、作業者は両手を貼る作業に使える。これらのことから、段ボール箱へ粘着テープを、狙い通りに貼ることができる。
さらに、挟持板の凹凸の働きにより、クリップを粘着テープの巻き出した端部から剥がすことが、容易に行える。また、クリップを刺さなくてよいので、段ボール箱を傷つけ無くて済む。
【図面の簡単な説明】
【００１１】
【図１】この発明の一実施形態のクリップを示すもので、（Ａ）は斜視図、（Ｂ）は正面図、（Ｃ）は側面図、（Ｄ）は底面図である。
【図２】巻いた状態の粘着テープの端部をクリップに挟持させた状態を示すもので（Ａ）は巻いた状態の粘着テープを立てた状態の側面図、（Ｂ）は正面方向から見た斜視図、（Ｃ）は巻いた状態の粘着テープを寝かせた状態を、正面方向から見た斜視図である。
【図３】図１，図２のクリップを用いて粘着テープを貼る方法を示すもので、（Ａ）は、粘着テープを貼り始める位置にクリップを仮止した状態の斜視図、（Ｂ）は、（Ａ）のクリップに粘着テープの端部を挟持させた状態の斜視図、（Ｃ）は、（Ｂ）の粘着テープを貼っている状態の斜視図、（Ｄ）は、貼り終わった粘着テープをクリップでカットする状態の斜視図である。
【図４】図１，図２のクリップを用いて粘着テープを貼る他の状態を示す斜視図である。
【図５】この発明の他の実施形態のクリップを示すもので、（Ａ）は斜視図、（Ｂ）は正面図、（Ｃ）は、粘着テープを貼り始める位置にクリップを仮止した状態の斜視図である。
【図６】この発明のさらに他の実施形態のクリップを示すもので、（Ａ）は斜視図、（Ｂ）は正面図、（Ｃ）は、粘着テープを貼り始める位置にクリップを仮止した状態の斜視図、（Ｄ）は、粘着テープを貼っている状態の斜視図である。
【発明を実施するための形態】
【００１２】
この発明の実施形態を、図１〜図３に示す。
「クリップ」
図３に示すように、このクリップ１は、粘着テープ３、すなわちガムテープなどを、段ボール箱５に貼るためのものである。図１に示すように、２枚の挟持板７は、同様の形状を有し、先端９は広く、粘着テープ３の幅に十分に対応できる。これら２枚の挟持板７は、回動軸１１によって、連結し互いに回動して開閉する。
【００１３】
すなわち、図１に示すように、挟持板７の内面には、ほぼ直角に、連結フランジ１３が連続して設けられる。そのような２枚の連結フランジ１３が互いに平行に、他の挟持板７に向かって延びる。そして、各連結フランジ１３は他の挟持板７の連結フランジ１３と一部が重なる。この重なった部分に、軸孔１５が連通して形成され、回動軸１１が通される。回動軸１１の両端には、抜け止の拡径部１７が設けられる。
【００１４】
回動軸１１の回りには、トーションバネであるコイルバネ１９が巻かれ、バネの両端部２１は延びて、各挟持板７の内面を押圧し、挟持板７が閉じる方向へ付勢する。付勢された２枚の挟持板７は、長い先端縁２３を合わせて閉じる。
一方の挟持板７の先端縁２３には、歯列２５が設けられている。歯列２５は金属製で、ギザギザの波形で、波の１つは三角形である。
他方の挟持板７の外面中央には、印２７が設けられている。この印２７は、先端縁２３と直角な直線である。
２枚の挟持板７は、後端縁２９が、先端縁２３と平行に扁平な形状になっている。
「クリップ１を用いて粘着テープ３を貼る方法」
このクリップ１を用いて、粘着テープ３を段ボール箱５に貼るための方法は、図３に示すように、以下の手順となる。
（１）図３（Ａ）に示すように、まず、粘着テープ３を貼り始める位置に、クリップ１の印２７を合わせ、歯列２５を刺すことで、段ボール箱５にクリップ１を仮止する。
すなわち、粘着テープ３を、段ボール箱５の上面に位置する２枚の蓋３１の合わせ目３３の真上に来るように、貼る場合には、この合わせ目を構成する直線３５を、側面へ延長した仮想直線３７に、印である直線３９を一致させる。これにより、歯列２５を、仮想直線３７に直角に、段ボール箱５の側面に刺す。このとき、歯列２５が設けられる一方の挟持板７は、下側、すなわち段ボール箱５に接する内側に位置させる。また、印２７が設けられる他方の挟持板７は、上側、すなわち段ボール箱５に接しない、外側に位置させる。このようにして、クリップ１の仮止がなされる。
【００１５】
（２）図３（Ｂ）に示すように、次に、巻いた状態の粘着テープ４１から必要な分を少し巻き出す。そして、仮止したクリップ１を開閉して、巻き出した粘着テープの端部４３を挟持する。この挟持により、粘着テープ３はその粘着性によりクリップ１にくっつく。このとき歯列２５は刺したままである。
（３）図３（Ｃ）に示すように、巻き出した粘着テープ３を、２枚の蓋３１の合わせ目３３の真上に押し付け、貼る。更に、巻き出して粘着テープ３を、必要な長さまで貼り終わる。このとき、粘着テープの端部４３はクリップ１が挟持しているので、作業者は両手を粘着テープ３を貼る作業に使える。
【００１６】
（４）図３（Ｄ）に示すように、段ボール箱５の側面から歯列２５を抜いて、クリップ１を段ボール箱５から外す。そして、貼り終わった粘着テープ３の終端部を、クリップ１の歯列２５を用いてカットする。カットする際、クリップ１は閉じたままでよい。
（５）図２に示すように、カットした後は、巻いた状態の粘着テープ４１の端部を、クリップ１に挟持させた状態で、粘着テープ３とクリップ１とを、収納場所に収納する。  
「実施形態の効果」
以上の実施形態によれば、粘着テープ３を貼り始める位置にクリップ１の印２７を合わせ、歯列２５を刺して段ボール箱５にクリップ１を仮止し、このクリップ１を開閉して、巻き出した粘着テープの端部４３を挟持し、粘着テープ３を貼ことで、貼り始める位置にクリップ１を正確に合わせることができ、したがって、粘着テープ３を正確に合わせることができる。
【００１７】
また、貼り始めの粘着テープの端部４３はクリップ１が挟持しているので、粘着テープ３を貼る際には、作業者は両手を貼る作業に使える。従来のように、片手を、貼り始めの粘着テープの端部４３を持つために使用する必要はないからである。
これらのことから、段ボール箱５へ粘着テープ３を、狙い通りに貼ることができる。粘着テープ３がそれて狙いから外れてしまうことがなくなる。粘着テープ３がガムテープのように透明でないテープの場合であって、２枚の蓋３１の合わせ目３３が見えない場合には、特に、この効果は大きい。
【００１８】
また、貼り始めの粘着テープの端部４３はクリップ１が挟持しているので、従来のように手で持っていた粘着テープの端部４３が、よじれたり、折れたりして、部分的にくっついてしまうことがなくなる。さらに、粘着テープ３の粘着材が手に付きにくくなる。長爪やマニキュアをした爪の人も、粘着テープ３を貼りやすくなる。
【００１９】
また、歯列２５を、粘着テープ３をカットするのにも用いることができるので、別のカッターを用いる必要はない。
更に、図２に示すように、収納時に、巻いた状態の粘着テープ４１の端部４３をクリップ１に挟持させれば、クリップ１の扁平な形状の後端縁２９が支えとなり、巻いた状態の粘着テープ４１を立てた状態で、転がらずに、安定させることができる。また、粘着テープ３の使用時に、クリップ１やカッターをあらためて探す必要がない。
【００２０】
「他の実施形態」
以上の実施形態では、粘着テープ３を、段ボール箱５の上面に位置する２枚の蓋３１の合わせ目３３の真上に来るように貼る場合を例にして、説明したが、他の実施形態では、これに限らない。たとえば図４に示すように、粘着テープ３を、段ボール箱５の上面角部４５に貼る場合であっても、この発明を実施できる。
【００２１】
すなわち、段ボール箱５の上面角部４５を構成する直線を、側面へ延長した側面角部に、印である直線３９を一致させる。これにより、歯列２５を、側面角部を構成する直線に直角に、段ボール箱５の側面に刺す。歯列２５は、半分が段ボール箱５の外に飛び出し、残りの半分だけが刺されるが、それでも十分に仮止される。
【００２２】
また、他の実施形態では、クリップ１の挟持板７にマグネットを取付けておけば、冷蔵庫の扉などに吸着させて保持できる。
【００２３】
以上の実施形態では、粘着テープ３を貼り始める位置に、クリップ１の歯列２５を刺して段ボール箱５にクリップ１を仮止するものであったが、他の実施形態では、たとえば図５に示すように、歯列２５による仮止の力を補強するために、歯列２５が設けられる挟持板７の中央に、針状の突起４７を設けることができる。歯列２５のみならず突起４７を段ボール箱５に刺して、強い仮止力が得られる。
【００２４】
以上の実施形態では、粘着テープ３を貼り始める位置にクリップ１を仮止するために、クリップ１に設けられた歯列２５を段ボール箱５に刺すものであったが、他の実施形態では、そのような仮止方法以外にも、他の仮止方法も併用できる。
すなわち、図６に示すように、粘着テープ３を段ボール箱５の２枚の蓋３１の合わせ目３３に貼る場合には、これら２枚の蓋３１をクリップ１で挟持することにより、段ボール箱５にクリップ１を仮止できる。そして、巻き出した前記粘着テープ３の端部４３は、クリップ１に挟持するのではなく、クリップ１の挟持板７に、仮に、貼る。
【００２５】
この図６の実施形態に使用するクリップ１は、図６（Ａ）（Ｂ）に示すように、２枚の挟持板７のうち両方の外面に、細かな凸部が多数形成され、全体として細かな凹凸４９が存在する。この凹凸４９により、粘着テープ３の粘着力を弱め、粘着テープ３を仮に貼ったり、剥がしたりする作業を容易にする。２枚の挟持板７のうち両方の外面に、印２７（３９）が設けられる。
【００２６】
この図６の実施形態を詳しく説明する。この実施形態は、同図（Ｃ）（Ｄ）に示すように、粘着テープ３を、段ボール箱５の２枚の蓋３１の合わせ目３３に、貼るために用いられる。
【００２７】
すなわち、まず同図（Ｃ）に示すように、段ボールの２枚の蓋３１の合わせ目３３の端部に、クリップ１の印２７（３９）を合わせ、その状態でクリップ１によりこれら２枚の蓋３１を挟持する。これにより、段ボール箱５にクリップ１を仮止する。
そして同図（Ｄ）に示すように、仮止したクリップ１の凹凸４９が形成された上側の外面に、巻き出した粘着テープ３の巻き出し端部４３を、仮に貼っておく。次に、巻き出した粘着テープ３を２枚の蓋３１の合わせ目３３に貼り付ける。貼付けた粘着テープ３の残りの部分である巻いた状態の粘着テープ４１は、一時そのままにする。
【００２８】
そして、図示しないが、クリップ１から粘着テープ３の巻き出し端部４３を剥がす。このとき、クリップ１の凹凸４９の働きにより、粘着テープ３の粘着力は弱められており、粘着テープ３を容易に剥がすことができる。このようにして粘着テープ３から自由になったクリップ１を、段ボール箱５の２枚の蓋３１から外す。また、剥がした粘着テープ３の端部４３を、そのまま段ボール箱５に貼る。さらに、外したクリップ１の歯列２５で、貼り終わった粘着テープ３の終端部をカットし、粘着テープ３の残りの部分から切り離す。
【００２９】
このようにして、クリップ１を仮止するために、クリップ１に設けられた歯列２５を段ボールに刺す方法以外に、段ボール箱５を傷つけ無くて済む他の仮止方法も併用でき、たとえば販売商品発送のため段ボールに粘着テープを貼るような場合には、重宝である。
【００３０】
以上の図６の実施形態では、クリップ１の２枚の挟持板７のうち両方の外面に、凹凸４９と印２７（３９）が形成されているものであったが、他の実施形態では、クリップ１の２枚の挟持板７のうち一方の外面にのみ、凹凸４９と印２７（３９）が形成されているものでもよい。この場合には、クリップ１の仮止の際には、クリップ１の凹凸４９が形成された外面を上側にし、２枚の蓋３１の合わせ目３３の端部にクリップ１の印２７（３９）を合わせ、２枚の蓋３１を挟持する。
【符号の説明】
【００３１】
１…クリップ、３…粘着テープ、５…段ボール箱、７…挟持板、９…先端、１１…回動軸、１３…連結フランジ、１５…軸孔、１７…拡径部、１９…コイルバネ、２１…バネの両端部、２３…先端縁、２５…歯列、２７…印、２９…後端縁、３１…蓋、３３…合わせ目、３５…合わせ目を構成する直線、３７…仮想直線、３９…印である直線、４１…巻いた状態の粘着テープ、４３…粘着テープの端部、４５・・角部、４７・・突起、４９・・凹凸。
【図１】
2014118477.tif 000003
【図２】
2014118477.tif 000004
【図３】
2014118477.tif 000005
【図４】
2014118477.tif 000006
【図５】
2014118477.tif 000007
【図６】
2014118477.tif 000008